(57)【要約】【課題】ヘッドレストの使用者が後頭部よりも後方に突出した凸部をもつ髪型である場合に、使用者の髪型の崩れを抑制するとともに使用者の頭部の位置を安定させる。【解決手段】ヘッドレストのヘッドレスト本体１は、使用者７の後頭部７ａに対向する前面部１１と、前面部１１に設けられ、後頭部７ａに当接して後頭部７ａを支持するための支持面部１２と、支持面部１２に凹設され、使用者７の髪型において後頭部７ａよりも後方に突出した凸部７ｂが収まる凹部１４とを有する。【選択図】図３
2019151276.tif 000002
【特許請求の範囲】
【請求項１】
シートのシートバックに取り付けられたヘッドレスト本体を備えたヘッドレストであって、
前記ヘッドレスト本体が、
前記シートのシートクッションに着座した使用者の後頭部に対向する前面部と、
前記前面部に設けられ、前記後頭部に当接して前記後頭部を支持するための支持面部と、
前記支持面部に凹設され、前記使用者の髪型において前記後頭部よりも後方に突出した凸部が収まる凹部と、を有する
ことを特徴とする、ヘッドレスト。
【請求項２】
前記ヘッドレスト本体が、前後方向に移動可能に設けられて前記支持面部として機能する通常状態と前記通常状態よりも後方に位置して前記凹部をなす凹状態とに切り替わる切替面部を有する
ことを特徴とする、請求項１に記載のヘッドレスト。
【請求項３】
前記切替面部を前後方向に移動させるアクチュエータと、
前記通常状態であるときの前記切替面部に作用する圧力を検出する検出手段と、
前記検出手段で検出された前記圧力が所定値以上である場合に、前記アクチュエータを制御して前記切替面部を前記凹状態に切り替える制御装置と、を備えている
ことを特徴とする、請求項２に記載のヘッドレスト。
【請求項４】
前記制御装置は、前記検出手段で検出された前記圧力が前記所定値以上である場合に、当該圧力が大きいほど前記切替面部が後方に移動するように前記アクチュエータを制御する
ことを特徴とする、請求項３に記載のヘッドレスト。
【請求項５】
前記制御装置が、前記シートの使用終了を判定した場合に、前記アクチュエータを制御して前記切替面部を前記通常状態に切り替える
ことを特徴とする、請求項３又は４に記載のヘッドレスト。
【請求項６】
前記支持面部が複数の領域に区画され、
前記切替面部が前記領域のそれぞれに設けられている
ことを特徴とする、請求項２〜５の何れか１項に記載のヘッドレスト。
【請求項７】
前記ヘッドレスト本体が、前記凹部を埋める形状であって前記凹部に着脱可能な付属部材を有する
ことを特徴とする、請求項１〜６の何れか１項に記載のヘッドレスト。
【請求項８】
前記ヘッドレスト本体が、前記前面部の反対側に形成された後面部と、前記後面部に設けられ、前記後頭部に当接して前記後頭部を支持するための第二の支持面部とを有し、前記シートバックに対して前後反転可能に設けられている
ことを特徴とする、請求項１〜７の何れか１項に記載のヘッドレスト。
【発明の詳細な説明】
【技術分野】
【０００１】
本発明は、シートの使用者が後頭部よりも後方に突出した凸部をもつ髪型である場合に、この髪型の崩れ（乱れ）を抑制するためのヘッドレストに関する。
【背景技術】
【０００２】
従来、シートに着座した使用者の頭部を支持するヘッドレストに関し、様々な構造が提案されている。例えば、乗り物用のシートに設けられるヘッドレスト（乗り物シート用枕）において、使用者（人）の後頭部に合致する形状をした凹部を設けることが提案されている（特許文献１参照）。このような乗り物用のシートのヘッドレストによれば、使用者（着座者）がヘッドレストを枕にして睡眠をとる場合に、乗り物に横揺れが発生したとしても使用者の頭部の動きが抑制されるため、使用者の疲労が軽減するとされている。
【先行技術文献】
【特許文献】
【０００３】
【特許文献１】特開2017-124788号公報
【発明の概要】
【発明が解決しようとする課題】
【０００４】
ところで、シートの使用者は、後頭部で髪を結っていたり、後頭部に髪飾りをつけていたりすることがある。すなわち、シートの使用者の髪型が、後頭部よりも後方に突出（あるいは膨出）した凸部をもつもの（例えばポニーテールやお団子など）である場合がある。この場合、使用者の髪の凸部（後方に膨らんだ部分）とヘッドレストとが干渉することにより、使用者の髪型が崩れる虞や、使用者の頭部の位置が不安定になる虞がある。
【０００５】
本件のヘッドレストは、前述したような課題に鑑み創案されたものであり、使用者が後頭部よりも後方に突出した凸部をもつ髪型である場合に、使用者の髪型の崩れを抑制するとともに、使用者の頭部の位置を安定させることを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示するヘッドレストは、シートのシートバックに取り付けられたヘッドレスト本体を備えている。前記ヘッドレスト本体は、前記シートのシートクッションに着座した使用者の後頭部に対向する前面部と、前記前面部に設けられ、前記後頭部に当接して前記後頭部を支持するための支持面部と、前記支持面部に凹設され、前記使用者の髪型において前記後頭部よりも後方に突出した凸部が収まる凹部と、を有する。なお、ここでいう前後方向は、前記シートに着座した前記使用者の姿勢を基準としている。
【０００７】
（２）前記ヘッドレスト本体が、前後方向に移動可能に設けられて前記支持面部として機能する通常状態と前記通常状態よりも後方に位置して前記凹部をなす凹状態とに切り替わる切替面部を有することが好ましい。
（３）本ヘッドレストが、前記切替面部を前後方向に移動させるアクチュエータと、前記通常状態であるときの前記切替面部に作用する圧力を検出する検出手段と、前記検出手段で検出された前記圧力が所定値以上である場合に、前記アクチュエータを制御して前記切替面部を前記凹状態に切り替える制御装置と、を備えていることが好ましい。
【０００８】
（４）前記制御装置は、前記検出手段で検出された前記圧力が前記所定値以上である場合に、当該圧力が大きいほど前記切替面部が後方に移動するように前記アクチュエータを制御することが好ましい。
（５）前記制御装置が、前記シートの使用終了を判定した場合に、前記アクチュエータを制御して前記切替面部を前記通常状態に切り替えることが好ましい。
【０００９】
（６）前記支持面部が複数の領域に区画され、前記切替面部が前記領域のそれぞれに設けられていることが好ましい。
（７）前記ヘッドレスト本体が、前記凹部を埋める形状であって前記凹部に着脱可能な付属部材を有することが好ましい。
（８）前記ヘッドレスト本体が、前記前面部の反対側に形成された後面部と、前記後面部に設けられ、前記後頭部に当接して前記後頭部を支持するための第二の支持面部とを有し、前記シートバックに対して前後反転可能に設けられていることが好ましい。
【発明の効果】
【００１０】
開示のヘッドレストによれば、使用者の髪型が、後頭部よりも後方に突出（膨出）した凸部をもつ場合に、使用者の髪型の崩れを抑制するとともに、使用者の頭部の位置を安定させることができる。
【図面の簡単な説明】
【００１１】
【図１】一実施形態に係るヘッドレストが適用されたシート及びこのシートが搭載された車両の側面図である。
【図２】図１のヘッドレストの斜視図である。
【図３】図１のヘッドレストの前後方向の鉛直断面図であり、凹部が形成されている状態を使用者の頭部と併せて示している。
【図４】図１のヘッドレストの制御構成を例示したブロック図である。
【図５】図１のヘッドレストの制御装置で実施される制御内容を例示したフローチャートである。
【図６】第一変形例に係るヘッドレスト本体の分解斜視図である。
【図７】第二変形例に係るヘッドレスト本体が適用されたシート上部の分解斜視図であり、（Ａ）はヘッドレスト本体の前面部が使用される場合を示し、（Ｂ）はヘッドレスト本体の後面部が使用される場合を示している。
【発明を実施するための形態】
【００１２】
図面を参照して、実施形態としてのヘッドレストについて説明する。なお、以下に示す実施形態はあくまでも例示に過ぎず、以下の実施形態で明示しない種々の変形や技術の適用を排除する意図はない。実施形態の各構成は、それらの趣旨を逸脱しない範囲で種々変形して実施することができる。また、必要に応じて取捨選択することができ、あるいは適宜組み合わせることができる。
【００１３】
［１．装置構成］
本実施形態に係るヘッドレスト１０は、図１に示すシート６に適用されている。シート６は、使用者７が着座するシートクッション６Ａと、使用者７が背中をもたせ掛けるシートバック６Ｂとを有する。本実施形態では、車両５の室内に配置されたシート６を例示する。以下、使用者７がシートバック６Ｂを背にしてシートクッション６Ａに着座した姿勢であるものとし、この使用者７を基準にして前後方向及び左右方向を定める。また、前後方向及び左右方向の何れにも直交する方向を上下方向とする。
【００１４】
ヘッドレスト１０は、使用者７の髪型が後頭部７ａよりも後方に突出（膨出）した凸部７ｂをもつ形状であることを想定して構成されている。ここでいう凸部７ｂとは、具体的には、使用者７の後頭部７ａで結われた髪の毛（例えば、ポニーテール状やお団子状とされた髪の毛の束）や、後頭部７ａに取り付けられた髪飾り等である。図１には、使用者７がポニーテール状の凸部７ｂをもつ髪型である場合を例示する。
【００１５】
ヘッドレスト１０は、シートバック６Ｂの上端部に取り付けられたヘッドレスト本体１を備えている。ヘッドレスト本体１は、使用者７の頭部７ｃを後方から支持する略直方体形状の部材であって、適度な弾力性をもつ素材で形成される。ヘッドレスト本体１は、シートクッション６Ａに着座した使用者７の後頭部７ａに対向する前面部１１と、前面部１１と反対側に形成された後面部１６とを有する。前面部１１は、左右方向及び上下方向のそれぞれに沿って広がるとともに、前方を向く面状の部位である。これに対し、後面部１６は、左右方向及び上下方向のそれぞれに沿って広がるとともに、後方を向く面状の部位である。
【００１６】
図２に示すように、前面部１１には、使用者７の後頭部７ａに当接して後頭部７ａを支持するための支持面部１２が設けられる。すなわち、支持面部１２は、前面部１１の一部であって、使用者７がヘッドレスト本体１に当たるまで頭部７ｃを後方に移動させた場合に後頭部７ａと接触しうる部位である。支持面部１２の形状，大きさ及び位置は、前面部１１の形状及び大きさや、想定される使用者７の後頭部７ａの位置などに応じて適宜設定される。本実施形態では、前面部１１の左右方向における中央部のうち、その上端部を除く部分が支持面部１２とされている。支持面部１２は、使用者７の凸部７ｂが当たる領域をカバーするように、想定される凸部７ｂよりも上下方向及び左右方向に大きく確保される。
【００１７】
本実施形態の支持面部１２は、複数の領域１２ａに区画されている。図２には、五つの略一様な矩形状の領域１２ａが上下方向に並設されている場合を例示する。各領域１２ａには、前後方向に移動可能な切替面部１３が配置されている。すなわち、支持面部１２は、複数の切替面部１３が並んで配置されることによって、複数の領域１２ａに区画されている。
【００１８】
各切替面部１３は、前後方向に移動することにより、前述した支持面部１２として機能する通常状態と、図３に示すように通常状態よりも後方に位置する凹状態とに切り替わる面状の部位である。本実施形態の切替面部１３は、ヘッドレスト本体１において前後方向にスライド移動可能に設けられた略直方体形状のブロック体１５の前側の表面として設けられている。切替面部１３は、ブロック体１５が前後方向にスライド移動することにより、前後方向の位置が変更される。
【００１９】
なお、前述した通常状態とは、具体的には、切替面部１３が前面部１１と滑らかに連続する平面又は緩やかな（曲率の小さい）曲面をなし、使用者７の後頭部７ａと当接しうる状態である。一方、凹状態とは、切替面部１３が支持面部１２よりも後方にずれた位置で平面又は緩やかな曲面をなし、使用者７の凸部７ｂを収容可能な凹部１４を形成する状態である。
【００２０】
凹部１４は、支持面部１２に凹設された部位であって、使用者７の凸部７ｂが収まる形状とされる。凹部１４は、ヘッドレスト本体１と使用者７の凸部７ｂとの干渉を抑制する機能をもつ。凹部１４は、少なくとも使用者７の凸部７ｂが収まる程度の大きさとされ、好ましくは凸部７ｂが丁度収まる程度の大きさとされる。また、凹部１４は、使用者７の頭部７ｃの可動性を確保するという観点から、後頭部７ａの全体が入り込まないように、後頭部７ａよりも小さくされる。
【００２１】
本実施形態の凹部１４は、前述したように、切替面部１３が凹状態である場合に支持面部１２に形成され、切替面部１３が通常状態である場合には形成されない。このように、本実施形態の支持面部１２には、各切替面部１３の前後方向の位置に応じて凹部１４が形成されたり形成されなかったりする。
【００２２】
凹部１４が形成される場合、凹部１４が支持面部１２に対して凹む深さd（凹部１４の前後方向の寸法）は、各切替面部１３が通常状態から凹状態に切り替わるときに移動した距離に対応する。本実施形態では、複数の切替面部１３が互いに独立して前後方向に移動可能であるため、凹部１４の深さdは、切替面部１３で形成される部位ごとに異なりうる。
【００２３】
なお、本実施形態では、前述したようにブロック体１５のスライド移動により凹部１４が形成されることから、支持面部１２に凹部１４が凹設される場合、後面部１６には凹部１４に対応する凸形状が突設される。ただし、ブロック体１５をヘッドレスト本体１の前部のみに設けるとともに、ヘッドレスト本体１の内部にブロック体１５が後方にスライド移動可能な空間を設けておくことで、ヘッドレスト本体１の後部は変形しない（すなわち、後面部１６に凸形状が突設されない）ように構成してもよい。
【００２４】
図４に示すように、本実施形態に係るヘッドレスト１０は、切替面部１３の前後方向の位置を制御するための構成として、アクチュエータ２と圧力センサ３と制御装置４とを備えている。アクチュエータ２は、切替面部１３を前後方向に移動させる電動モータやシリンダ等である。本実施形態では、各ブロック体１５に対して一つのアクチュエータ２が接続されており、各アクチュエータ２が複数のブロック体１５を互いに独立して前後方向にスライド移動させる。これにより、各アクチュエータ２は、各ブロック体１５に設けられた切替面部１３を前後方向に移動させる。なお、各アクチュエータ２は、各ブロック体１５に内蔵されていてもよいし、ヘッドレスト本体１のブロック体１５以外の部位に内蔵されていてもよい。
【００２５】
圧力センサ３は、通常状態であるときの切替面部１３に作用する圧力Pを検出する検出手段である。本実施形態では、図２中に破線で示すように、圧力センサ３が各切替面部１３に対して一つずつ設けられる。なお、ここでいう圧力Pとは、通常状態の切替面部１３を後方へ向けて押す力の単位面積当たりの大きさである。
【００２６】
制御装置４は、例えばマイクロプロセッサやＲＯＭ，ＲＡＭなどを集積したＬＳＩデバイスや組み込み電子デバイスとして構成された電子制御装置である。本実施形態の制御装置４は、車両５に設けられたネットワーク網の通信ラインに接続される。制御装置４は、各圧力センサ３で検出された圧力Pに基づいて各アクチュエータ２を制御する髪型保持制御を実施する。
【００２７】
［２．制御構成］
髪型保持制御は、ヘッドレスト１０の使用者７が前述したような凸部７ｂをもつ髪型であっても、この髪型を崩れ（乱れ）にくくするとともに使用者７の頭部７ｃの位置を安定させるための制御である。髪型保持制御では、使用者７の髪型に応じて切替面部１３が通常状態又は凹状態に制御される。本実施形態の髪型保持制御では、切替面部１３が通常状態から凹状態に切り替えられる場合に、この切替面部１３で形成される凹部１４の深さdが使用者７の凸部７ｂに応じて調整される。
【００２８】
使用者７が凸部７ｂをもつ髪型である場合、凸部７ｂとヘッドレスト本体１との干渉により使用者７の髪型が崩れる虞や頭部７ｃの位置が不安定になる虞があることから、髪型保持制御では、凸部７ｂで押された切替面部１３が凹状態に切り替えられる。すなわち、この場合、複数の切替面部１３のうちの凸部７ｂに対向する切替面部１３のみが後方へ移動させられることで、凸部７ｂが収まる大きさの凹部１４が支持面部１２に凹設される。これにより、凸部７ｂとヘッドレスト本体１とが干渉しにくくなるため、使用者７の髪型が保持されやすくなる。また、使用者７の凸部７ｂが凹部１４に収まることで、後頭部７ａが支持面部１２に当接しやすくなる（支持面部１２から浮きにくくなる）ため、頭部７ｃの位置が安定しやすくなる。
【００２９】
一方、使用者７が凸部７ｂのない髪型（例えば坊主頭や髪の毛を束ねていないときなど）の場合には、ヘッドレスト本体１との干渉によって使用者７の髪型が崩れる可能性は低いことから、髪型保持制御では全ての切替面部１３が通常状態に制御（保持）される。すなわち、この場合は、一般的なヘッドレストを用いる場合として、使用者７の後頭部７ａがヘッドレスト本体１によって後方から支持される。このように、髪型保持制御では、使用者７が凸部７ｂのない髪型である場合には支持面部１２に凹部１４が凹設されないため、後頭部７ａが支持面部１２で支持されやすくなるとともに、使用者７に違和感を与えることが防止される。
【００３０】
本実施形態の髪型保持制御では、シート６の使用開始時に、使用者７の凸部７ｂに応じて凹部１４が形成され、ここで形成された凹部１４がシート６の使用終了時まで保持される。言い換えると、シート６の使用中は、各切替面部１３の前後方向の位置が固定される。また、シート６の使用終了時には、凹状態である各切替面部１３が通常状態に切り替えられる（元の状態に戻される）ことで、凹部１４が解消される（埋められた状態となる）。これにより、シート６が次の使用者によって使用される前に、全ての切替面部１３が通常状態とされる。
【００３１】
本実施形態の制御装置４は、下記の条件１が成立した場合に髪型保持制御を実施する。
条件１：  制御装置４がシート６の使用開始を判定した。
ここでいう「シート６の使用開始」とは、使用者７がシート６を使用し始めようとしている、あるいは使用し始めたことを意味する。条件１は、例えば、車両５の主電源が投入されたこと（パワーオン，イグニッションスイッチオン）を以って成立したと判定される。あるいは、条件１は、シート６に設けられた着座センサ（図示略）を用いて、シート６に対する使用者７の着座が検出された時点で成立したと判定されてもよい。
【００３２】
制御装置４は、髪型保持制御において、下記の条件２が成立した場合にアクチュエータ２を制御して切替面部１３を凹状態に切り替え、条件２が不成立の場合に切替面部１３を通常状態に保持する。
条件２：  通常状態の切替面部１３に作用する圧力Pが所定値P0以上（P≧P0）。
【００３３】
ここで、所定値P0は、使用者７の凸部７ｂの有無を判定できるような圧力値に予め設定される。所定値P0が大きいほど、切替面部１３から凸部７ｂに加わる反力も大きくなりうることから、使用者７の髪型が崩れやすくなる。一方、所定値P0が小さいほど、使用者７が凸部７ｂのない髪型である場合にも切替面部１３が凹状態に切り替えられやすくなることから、不要な凹部１４が形成されやすくなる。これらから、所定値P0は、使用者７の髪型が崩れない程度の圧力値であるとともに、凸部７ｂのない髪型をしている使用者７の後頭部７ａから切替面部１３に作用する一般的な圧力よりも大きな圧力値に設定される。
【００３４】
制御装置４は、各圧力センサ３で検出された圧力Pに基づき、通常状態の各切替面部１３について条件２の成否を判定する。そして、制御装置４は、条件２が成立する（P0以上の圧力Pが作用する）切替面部１３がある場合に、この切替面部１３が後方に移動するように対応するアクチュエータ２を制御する。
【００３５】
このとき、本実施形態の制御装置４は、圧力Pが大きいほど切替面部１３が後方に移動するようにアクチュエータ２を制御する。すなわち、制御装置４は、切替面部１３を通常状態から凹状態に切り替える場合に、この切替面部１３に作用する圧力Pが大きいほど、この切替面部１３で形成される凹部１４の深さdが大きくなるように、対象となるアクチュエータ２を制御する。
【００３６】
一方、制御装置４は、条件２が成立しない（P0以上の圧力Pが作用しない）切替面部１３については、通常状態に保持する。したがって、制御装置４は、何れの切替面部１３においても条件２が成立しない場合には、全ての切替面部１３を通常状態に保持する。
【００３７】
また、制御装置４は、髪型保持制御において下記の条件３が成立した場合にアクチュエータ２を制御して切替面部１３を通常状態に切り替える。より具体的には、制御装置４は、下記の条件３が成立した場合に、凹状態である切替面部１３に接続されたアクチュエータ２を制御し、全ての切替面部１３が通常状態となるように、凹状態である切替面部１３を通常状態に戻す。
条件３：  制御装置４がシート６の使用終了を判定した。
【００３８】
ここでいう「シート６の使用終了」とは、使用者７がシート６を使用し終えた、あるいは使用し終えようとしていることを意味する。条件３は、例えば、車両５の主電源が切られたこと（パワーオフ，イグニッションスイッチオフ）を以って成立したと判定される。あるいは、条件３は、前述した着座センサにより、シート６からの使用者７の離席が検出された時点で成立したと判定されてもよい。
【００３９】
［３．フローチャート］
図５は、制御装置４において実施される髪型保持制御の内容を例示したフローチャートである。このフローチャートは、制御装置４において、シート６の使用開始が判定された（条件１が成立した）場合に、所定の演算周期で繰り返し実施される。なお、フロー中で使用されるフラグFは、条件２の成否が判定済みである否かを表す変数であり、条件２の成否が判定される前は0となり、条件２の成否が判定された後は1となる。なお、フローの開始時点では、フラグFが0であるとともに、全ての切替面部１３が通常状態であるものとする。
【００４０】
まず、フラグFが0であるか否かが判定される（ステップＳ１）。フローの開始時点ではF＝0であるため、ステップＳ２に進んで各圧力センサ３で検出された圧力Pが取得され、続いて各切替面部１３について圧力Pが所定値P0以上であるか否か（条件２の成否）が判定される（ステップＳ３）。ここで所定値P0以上の圧力Pを受けている切替面部１３が存在すれば、この切替面部１３が凹状態に切り替えられる（ステップＳ４）。より詳細には、切替面部１３に作用している圧力Pが所定値P0よりも大きいほど、この切替面部１３が後方に移動するように、この切替面部１３に接続されたアクチュエータ２が制御される。そして、フラグFが1にセットされ（ステップＳ５）、このフローをリターンする。
【００４１】
一方、ステップＳ３で所定値P0以上の圧力Pを受けている切替面部１３が存在しなければ、ステップＳ４をスキップしてステップＳ５に進む。すなわち、この場合は、全ての切替面部１３が通常状態に保持されたままフラグFが1にセットされ（ステップＳ５）、このフローをリターンする。
【００４２】
次の演算周期では、F＝1であるため、ステップＳ１からステップＳ６に進んでシート６の使用が終了されたか否か（条件３の成否）が判定される。ここでシート６の使用終了が判定されなければ（シート６の使用中であれば）、このフローをリターンし、再びステップＳ１からステップＳ６に進む。すなわち、この場合は、シート６の使用終了が判定されるまでステップＳ６の判定処理が繰り返される。そして、シート６の使用終了が判定されたら、切替面部１３が凹状態から通常状態に切り替えられる（ステップＳ７）。より詳細には、全ての切替面部１３が通常状態となるように、凹状態である切替面部１３に接続されたアクチュエータ２が制御される。これを以って髪型保持制御が終了する。なお、フローの終了に伴い、フラグFは0に戻される。
【００４３】
［４．作用，効果］
（１）ヘッドレスト１０では、ヘッドレスト本体１において使用者７の後頭部７ａを支持するための支持面部１２に、使用者７の後頭部７ａよりも後方に突出した凸部７ｂが収まる凹部１４が凹設される。ヘッドレスト本体１では、このように支持面部１２に凹部１４が凹設されることにより、使用者７の凸部７ｂを収容可能な空間が確保される。このため、使用者７が支持面部１２に後頭部７ａを当てたときに、凸部７ｂとヘッドレスト本体１との干渉を抑制することができる。したがって、使用者７が凸部７ｂをもつ髪型である場合に、使用者７の髪型の崩れを抑制できるとともに、使用者７に対して違和感や不快感を与えずに済む。
【００４４】
また、使用者７の凸部７ｂが凹部１４に収まることで、後頭部７ａが支持面部１２に当接しやすく（支持面部１２から浮きにくく）なることから、頭部７ｃの位置を安定させることができる。特に、前述した凹部１４は、後頭部７ａの全体が入り込むほど大きくなく、凸部７ｂが丁度収まる程度の大きさに形成されるため、ヘッドレスト１０では、支持面部１２で使用者７の後頭部７ａを支持しつつ、使用者７の頭部７ｃの可動性を確保することができる。よって、前述したヘッドレスト１０は、車両５のドライバ用のシートに用いて好適である。
【００４５】
（２）ヘッドレスト本体１には、前後方向に移動可能であって、支持面部１２として機能する通常状態と、凹部１４をなす凹状態とに切り替わる切替面部１３が設けられている。このため、使用者７が凸部７ｂのない髪型である場合には、切替面部１３を通常状態に切り替えることで、ヘッドレスト本体１から凹部１４をなくすことができる。このため、使用者７が凸部７ｂのない髪型である場合に、使用者７に違和感を与えなくすることができる。
【００４６】
（３）ヘッドレスト１０では、通常状態である切替面部１３に作用する圧力Pが所定値P0以上である場合に、制御装置４によりアクチュエータ２が制御されることで切替面部１３が凹状態に切り替えられる。このため、使用者７の凸部７ｂから切替面部１３に所定値P0以上の圧力Pが作用する場合に、ヘッドレスト本体１に凹部１４を自動的に形成することができる。すなわち、使用者７の髪型に応じて、支持面部１２に凹部１４を自動的に凹設することができる。したがって、より簡単に、かつ、より確実に、使用者７の髪型の崩れを抑制することができるとともに頭部７ｃの位置を安定させることができる。
【００４７】
（４）ヘッドレスト１０では、前述した圧力Pが所定値P0以上である場合に、この圧力Pが大きいほど切替面部１３が後方に移動するように、制御装置４でアクチュエータ２が制御される。使用者７の後頭部７ａに対する凸部７ｂの突出量が大きいほど、前述した圧力Pも大きくなりやすいため、このように圧力Pが大きいほど切替面部１３をより後方へ移動させることで、凹部１４の深さdをより適切に凸部７ｂに応じたものとすることができる。よって、更に確実に使用者７の髪型の崩れを抑制することができるとともに頭部７ｃの位置を安定させることができる。
【００４８】
（５）ヘッドレスト１０では、制御装置４により、シート６の使用終了が判定された場合にアクチュエータ２が制御されて切替面部１３が通常状態に切り替えられる。すなわち、シート６の使用終了に合わせて凹部１４が解消される。このため、次の使用者に対してシート６を使いやすくすることができる。
【００４９】
（６）支持面部１２が複数の領域１２ａに区画され、各領域１２ａに切替面部１３が設けられているため、領域１２ａごとに切替面部１３を前後方向に移動させることにより、凹部１４の形状，大きさ及び位置をより細かく調整することができる。よって、凹部１４を使用者７の凸部７ｂに更に適切に対応したものとすることができる。このため、より確実に使用者７の髪型の崩れを抑制することができるとともに頭部７ｃの位置を安定させることができる。
【００５０】
［５．変形例］
前述したヘッドレスト１０の構成は一例であって、前述したものに限られない。図６，図７（Ａ），（Ｂ）は、変形例に係るヘッドレスト本体１Ａ，１Ｂを示した斜視図である。これらのヘッドレスト本体１Ａ，１Ｂは、前述したヘッドレスト本体１に代えて用いることができる。ここでは、実施形態で説明した要素と同一又は対応する要素には同一の符号を付し、重複する説明を省略する。
【００５１】
［５−１．第一変形例］
図６に示すように、第一変形例に係るヘッドレスト本体１Ａは、支持面部２２に予め凹設された凹部２４と、凹部２４を埋める形状の付属部材２６とを有する点が、実施形態のヘッドレスト本体１と異なっている。本変形例の支持面部２２及び凹部２４は、実施形態の支持面部１２及び凹部１４のそれぞれと形状が異なるものの、それぞれがもつ機能は同様である。なお、本変形例では、前述したアクチュータ２，センサ３，制御装置４が何れも不要である。
【００５２】
付属部材２６は、凹部２４に着脱可能とされている。本変形例では、付属部材２６に突設された複数の突起部２６ａと、凹部２４に形成され、突起部２６ａを係止可能な複数の係止溝２４ａとにより、付属部材２６が凹部２４に着脱可能とされている場合について説明する。付属部材２６は、各突起部２６ａが係止溝２４ａに係止されることにより、凹部２４に装着される。付属部材２６が凹部２４に装着された状態では、支持面部２２に凹設された凹部２４が付属部材２６により埋められることから、ヘッドレスト本体１Ａの前面部１１の全域が平面又は緩やかな曲面となる。なお、付属部材２６は、凹部２４に対して突起部２６ａ及び係止溝２４ａ以外の構成（例えば面ファスナーや磁石）により着脱可能とされてもよい。
【００５３】
ヘッドレスト本体１Ａは、使用者７が凸部７ｂをもつ髪型である場合には、付属部材２６が凹部２４から取り外された状態で使用される。これにより使用者７の凸部７ｂが凹部２４に収まることから、実施形態と同様に、使用者７の髪型の崩れを抑制することができるとともに頭部７ｃの位置を安定させることができる。一方、ヘッドレスト本体１Ａは、使用者７が凸部７ｂのない髪型である場合には、付属部材２６が凹部２４に取り付けられた状態で使用される。これにより、実施形態と同様に、凸部７ｂのない髪型である使用者７に違和感を与えなくすることができる。
【００５４】
なお、図６には、一つの付属部材２６によって凹部２４を埋める構成を例示したが、複数の付属部材が設けられてもよい。複数の付属部材は、互いに独立して着脱可能であり、全ての付属部材が装着されることで凹部２４を埋められる構成とされる。この場合も、使用者７の凸部７ｂに応じて付属部材を凹部２４に適宜装着すれば、前述した実施形態と同様に、凸部７ｂが丁度収まる大きさの凹部２４を形成することができる。
【００５５】
［５−２．第二変形例］
図７（Ａ），（Ｂ）に示すように、第二変形例に係るヘッドレスト本体１Ｂは、支持面部３２に予め凹設された凹部３４と、後面部１６に設けられた第二の支持面部３７とを有する点、及び、シートバック６Ｂに対して前後反転可能に設けられている点が、実施形態のヘッドレスト本体１と異なっている。本変形例の支持面部３２及び凹部３４も、実施形態の支持面部１２及び凹部１４のそれぞれと形状が異なるものの、それぞれがもつ機能は同様である。なお、本変形例でも、前述したアクチュータ２，圧力センサ３，制御装置４は不要である。
【００５６】
図７（Ｂ）に示すように、第二の支持面部３７は、前面部１１に設けられた支持面部３２と同様に構成され、ヘッドレスト本体１Ｂが図７（Ａ）に示す状態から前後に反転された状態で使用される場合に、支持面部３２と同様に機能する。すなわち、第二の支持面部３７は、ヘッドレスト本体１Ｂの後面部１６が前方を向くように配置される場合に、使用者７の後頭部７ａに当接して後頭部７ａを支持するための部位である。
【００５７】
本変形例では、シートバック６Ｂの上面に形成された二つの孔部６ｃと、ヘッドレスト本体１Ｂの下面から下方へ延設された二つの棒材３８とにより、ヘッドレスト本体１Ｂがシートバック６Ｂに着脱可能とされている場合を例示する。二つの孔部６ｃは、互いに左右方向に離隔して配置される。また、二つの棒材３８は、二つの孔部６ｃにそれぞれ挿入可能な大きさ，配置とされる。
【００５８】
ヘッドレスト本体１Ｂは、棒材３８が孔部６ｃに挿入されることでシートバック６Ｂに取り付けられ、棒材３８が孔部６ｃから引き抜かれることでシートバック６Ｂから取り外される。本変形例のヘッドレスト本体１Ｂは、図７（Ａ）に示すように前面部１１が前方を向く姿勢と、図７（Ｂ）に示すように後面部１６が前方を向く姿勢との何れであっても、シートバック６Ｂに取付可能とされている。なお、ヘッドレスト本体１Ｂは、このようにシートバック６Ｂから手動で取り外されることで前後反転されるものに限られず、例えば、使用者７によるスイッチ操作に応じて、自動で上下方向に延びる軸まわりに１８０°回転するように構成されることで、前後反転可能とされてもよい。この場合は、例えばヘッドレスト１Ｂを回転させるアクチュエータや制御装置を設ければよい。
【００５９】
ヘッドレスト本体１Ｂは、使用者７が凸部７ｂをもつ髪型である場合には、図７（Ａ）に示すように前面部１１が前方を向く姿勢で使用される。これにより使用者７の凸部７ｂが凹部３４に収まることから、実施形態と同様に、使用者７の髪型の崩れを抑制することができるとともに頭部７ｃの位置を安定させることができる。一方、ヘッドレスト本体１Ｂは、使用者７が凸部７ｂのない髪型である場合には、図７（Ｂ）に示すように後面部１６が前方を向く姿勢で使用される。これにより、実施形態と同様に、凸部７ｂのない髪型である使用者７に対しては違和感を与えなくすることができる。
【００６０】
［５−３．その他］
前述した実施形態では、アクチュエータ２で切替面部１３を移動させる場合について説明したが、これに代えて、切替面部１３を手動で前後方向に移動させる構成としてもよい。この場合、アクチュエータ２，圧力センサ３及び制御装置４を何れも省略可能であるため、装置構成を簡素化することができるとともに、電子制御を不要とすることができる。
【００６１】
また、ブロック体１５を前後方向にスライド移動させることで切替面部１３を前後方向に移動させる構成に代えて、ヘッドレスト本体１の厚み（前後方向の寸法）を変更することで切替面部１３を前後方向に移動させてもよい。より具体的には、ヘッドレスト本体１のうちの切替面部１３を含む部分を前後方向に圧縮，膨張可能に形成し、この部分を後方へ向けて圧縮することで切替面部１３を後方に移動させ、この部分を前方へ向けて膨張させることで切替面部１３を前方へ移動させてもよい。この場合、切替面部１３の前後方向の位置によらず後面部１６の形状が維持されることから、後面部１６の見栄え低下を防止することができる。
【００６２】
実施形態で示した切替面部１３の形状，個数，配置は何れも一例である。また、切替面部１３は前後方向に移動することで通常状態と凹状態とに切り替わるものであればよく、その前後方向の位置が調整可能とされなくてもよい。言い換えると、凹状態の切替面部１３がなす凹部１４の深さdは、固定値であってもよい。
【００６３】
実施形態で示した切替面部１３及びこの前後方向の位置を制御するためのアクチュエータ２，圧力センサ３，制御装置４を、変形例に係るヘッドレスト本体１Ａ，１Ｂに適用してもよい。すなわち、ヘッドレスト本体には、前後方向に移動することで通常状態と凹状態とに切り替わる切替面部と、支持面部に予め凹設された凹部とのそれぞれが設けられていてもよい。
なお、ヘッドレスト１０は、車両５以外の乗り物（例えば新幹線や飛行機等）やアトラクション等に設けられたシートにも同様に適用可能である。
【符号の説明】
【００６４】
１，１Ａ，１Ｂ  ヘッドレスト本体
２  アクチュエータ
３  圧力センサ（検出手段）
４  制御装置
５  車両
６  シート
６Ａ  シートクッション
６Ｂ  シートバック
６ｃ  孔部
７  使用者
７ａ  後頭部
７ｂ  凸部
７ｃ  頭部
１０  ヘッドレスト
１１  前面部
１２，２２，３２  支持面部
１２ａ  領域
１３  切替面部
１４，２４，３４  凹部
１５  ブロック体
１６  後面部
２４ａ  係止溝
２６  付属部材
２６ａ  突起部
３７  第二の支持面部
３８  棒材
d  深さ
P  圧力
P0  所定値
【図１】
2019151276.tif 000003
【図２】
2019151276.tif 000004
【図３】
2019151276.tif 000005
【図４】
2019151276.tif 000006
【図５】
2019151276.tif 000007
【図６】
2019151276.tif 000008
【図７】
2019151276.tif 000009